(57)【特許請求の範囲】
【請求項１】
端末と配信装置とを含む色情報調整システムであって、
前記端末は、
前記端末周囲の周囲光の色情報を検出する検出手段から前記色情報を第１色情報として取得するとともに、取得された前記第１色情報を前記配信装置に送信する色情報取得手段を有し、
前記配信装置は、
第２色情報を有して前記端末が備える表示部の一部に表示されるコンテンツデータであって、前記配信装置からウェブネットワークを介して配信されるコンテンツデータの前記第２色情報を、前記端末から送信された第１色情報に基づいて、モノクロに調整、又は、前記第１色情報と補色関係となる色に近付けるように調整するとともに、調整された前記コンテンツデータを前記端末に送信する色情報調整手段
を有する色情報調整システム。
【請求項２】
前記色情報調整手段は、前記コンテンツデータのうちの一部のデータの前記第２色情報のみを調整する請求項１に記載の色情報調整システム。
【請求項３】
前記端末は、
前記周囲光が前記表示部に映り込む映り込み位置を特定する位置特定手段を有し、
前記配信装置は、
前記位置特定手段によって特定された映り込み位置に対応する前記コンテンツデータの位置データを、前記一部のデータとする、請求項２に記載の色情報調整システム。
【請求項４】
端末と配信装置とを含む色情報調整システムに、
前記端末周囲の周囲光の色情報を検出する検出手段から前記色情報を第１色情報として取得するとともに、取得された前記第１色情報を前記端末から前記配信装置に送信する色情報取得ステップと、
第２色情報を有して前記端末が備える表示部の一部に表示されるコンテンツデータであって、前記配信装置からウェブネットワークを介して配信されるコンテンツデータの前記第２色情報を、前記端末から送信された第１色情報に基づいて、モノクロに調整、又は、前記第１色情報と補色関係となる色に近付けるように調整するとともに、調整された前記コンテンツデータを前記端末に送信する色情報調整ステップと、
を実行させる色情報調整方法。
【請求項５】
端末と配信装置とを含むコンテンツ選択システムであって、
前記端末は、
前記端末周囲の周囲光の色情報を検出する検出手段から前記色情報を第１色情報として取得するとともに、取得された前記第１色情報を前記配信装置に送信する色情報取得手段を有し、
前記配信装置は、
第２色情報を有し、前記端末が備える表示部の一部に表示されるコンテンツデータとして、予め所定の記憶領域に準備された複数パターンの第２色情報を有するコンテンツデータの中から、前記端末から送信された前記第１色情報と補色関係となる色に近い第２色情報を有するコンテンツデータを選択するとともに、選択された当該コンテンツデータを前記端末に送信するコンテンツ選択手段
を有するコンテンツ選択システム。
【請求項６】
端末と配信装置とを含むコンテンツ選択システムに、
前記端末周囲の周囲光の色情報を検出する検出手段から前記色情報を第１色情報として取得するとともに、取得された前記第１色情報を前記端末から前記配信装置に送信する色情報取得ステップと、
第２色情報を有し、前記端末が備える表示部の一部に表示されるコンテンツデータとして、予め所定の記憶領域に準備された複数パターンの第２色情報を有するコンテンツデータの中から、前記端末から送信された前記第１色情報と補色関係となる色に近い第２色情報を有するコンテンツデータを選択するとともに、選択された当該コンテンツデータを前記端末に送信するコンテンツ選択ステップと、
を実行させるコンテンツ選択方法。
【請求項７】
端末周囲の周囲光の色情報を検出する検出手段と、
前記検出手段によって検出された前記色情報を第１色情報として取得するとともに、取得された前記第１色情報を配信装置に送信する色情報取得手段と、
第２色情報を有するコンテンツデータであって、前記配信装置からウェブネットワークを介して配信されるコンテンツデータの前記第２色情報が、前記端末から送信された第１色情報に基づいて、モノクロに調整、又は、前記第１色情報と補色関係となる色に近付けるように調整された前記コンテンツデータを表示する表示部と、
を有する端末。
【請求項８】
端末によって検出される端末周囲の周囲光の色情報である第１色情報を前記端末から受信する受信手段と、
第２色情報を有して前記端末が備える表示部の一部に表示されるコンテンツデータであって、ウェブネットワークを介して配信されるコンテンツデータの前記第２色情報を、前記端末から送信された第１色情報に基づいて、モノクロに調整、又は、前記第１色情報と補色関係となる色に近付けるように調整するとともに、調整された前記コンテンツデータを前記端末に送信する色情報調整手段と、
を有する配信装置。
【発明の詳細な説明】
【技術分野】
【０００１】
本発明は、色情報調整システム、色情報調整方法、コンテンツ選択システム、コンテンツ選択方法、端末、及び、配信装置に関する。
【背景技術】
【０００２】
従来、Ｗｅｂページのレイアウトやデザインに合わせた広告データを配信することが提案されている（例えば、特許文献１を参照）。
【先行技術文献】
【特許文献】
【０００３】
【特許文献１】特開２００９−３００６８３号公報
【発明の概要】
【発明が解決しようとする課題】
【０００４】
スマートフォンや、タブレット端末等のように、多様な環境下で使用する表示端末の場合、日光や照明が画面に映り込み、コンテンツが見難くなることがある。
【０００５】
出願人は、端末周囲の周囲光が画面に映り込むことにより、コンテンツが見難くなることを防止するとの課題に対し、端末周囲の周囲光の色情報を検出し、それに基づき表示されるコンテンツの視認性の低下を抑制するという新たな方策を提案するに至った。
【０００６】
本発明は、上記の事項に鑑みてなされたもので、端末周囲の周囲光の色情報を検出し、検出した周囲光の色情報に基づいて表示されるコンテンツの視認性の低下を抑制する色情報調整システム、色情報調整方法、コンテンツ選択システム、及び、コンテンツ選択方法を提供することを例示的課題とする。
【課題を解決するための手段】
【０００７】
上記課題を解決するために、本発明の例示的側面としての色情報調整システムは、端末周囲の周囲光の色情報を検出する検出手段から色情報を第１色情報として取得する色情報取得手段と、第２色情報を有して端末が備える表示部に表示されるコンテンツデータの第２色情報を、第１色情報に基づき調整する色情報調整手段と、を有する。
【０００８】
本発明の他の例示的側面としての色情報調整方法は、色情報調整システムに、端末周囲の周囲光の色情報を検出する検出手段から色情報を第１色情報として取得する色情報取得ステップと、第２色情報を有して端末が備える表示部に表示されるコンテンツデータの第２色情報を、第１色情報に基づき調整する色情報調整ステップと、を実行させる。
【０００９】
本発明の更に他の例示的側面としてのコンテンツ選択システムは、端末周囲の周囲光の色情報を検出する検出手段から色情報を第１色情報として取得する色情報取得手段と、第２色情報を有し、端末が備える表示部に表示されるコンテンツデータを、第１色情報に基づき選択するコンテンツ選択手段と、を有する。
【００１０】
本発明の更に他の例示的側面としてのコンテンツ選択方法は、コンテンツ選択システムに、端末周囲の周囲光の色情報を検出する検出手段から色情報を第１色情報として取得する色情報取得ステップと、第２色情報を有し、端末が備える表示部に表示されるコンテンツデータを、第１色情報に基づき選択するコンテンツ選択ステップと、を実行させる。
【００１１】
本発明の更なる目的又はその他の特徴は、以下添付図面を参照して説明される好ましい実施の形態によって明らかにされるであろう。
【発明の効果】
【００１２】
本発明によれば、端末周囲の周囲光の色情報を検出し、検出した周囲光の色情報に基づいて表示部において写り込みが発生した場合であっても、表示されるコンテンツの視認性の低下を抑制することができる。
【図面の簡単な説明】
【００１３】
【図１】実施形態１に係る色情報調整システムＳ１の全体構成図である。
【図２Ａ】端末２の外部構成の概略を示す模式図である。
【図２Ｂ】端末２の内部構成の概略を示すブロック図である。
【図３】色情報調整システムＳ１による色調整プロセスについて、説明するフローチャートである。
【図４】変形例２に係るコンテンツ選択システムＳ２の全体構成図である。
【図５】端末２２の内部構成の概略を示すブロック図である。
【図６】コンテンツ色情報データベースのデータ構造の概略を示す図である。
【実施するための形態】
【００１４】
［実施形態１］
実施形態１に係る色情報調整システムＳ１を、添付図面を用いて説明する。図１は、実施形態１に係る色情報調整システムＳ１の全体構成図である。色情報調整システムＳ１は、端末２、コンテンツサーバ４、配信装置６、広告主サーバ８がインターネットＷを介して接続されて構成される。
【００１５】
＜端末２＞
端末２は、ユーザが所有、使用、又は管理する端末であり、例えば、携帯電話、スマートフォン、タブレット端末等が適用可能である。端末２は、インターネットＷに直接又は間接に接続され、インターネットＷを介して、配信装置６等と通信可能である。
【００１６】
図２Ａは、端末２の外部構成の概略を示す模式図である。図２Ａは、一例として、電話接続呼出中である場合の表示部２ａを示している。端末２は、通話先の音声を出力するスピーカ２ｂと、ユーザが発した音声を受信するマイク２ｃと、を備えていても良い。端末２は、キーボード等の入力手段を有していても良く、キーボードはソフトウェアキーボードであってもよい。
【００１７】
端末２においては、例えば、インターネットブラウザ等のアプリケーションプログラムを用いることにより、インターネットＷを介して配信装置６より送信され、所定のページレイアウト内の広告表示領域２ｅに配置された広告情報を表示部２ａに表示することができるようになっている。
【００１８】
端末２は、端末２周囲の周囲光の色情報を検出する検出手段２ｄを備える。検出手段２ｄは、端末２周囲の周囲光の色情報を検出する機能を有していれば良い。例えば、ＣＭＯＳ、ＣＣＤ等のカメラ、若しくはその検出部を構成する単一の素子であっても良い。検出手段２ｄは、通常、端末２が備えるが、端末２周囲の周囲光の色情報を検出することが可能な限り、どのような構成を有していても良い。例えば、端末２と通信可能に接続された外部端末であっても良い。
【００１９】
図２Ｂは、端末２の内部構成の概略を示すブロック図である。端末２は、内部に演算処理装置２ｐ及びメモリ２ｍを有する。
【００２０】
端末２は、色情報取得手段Ｐ１と、色情報調整手段Ｐ２と、を有する。端末２内部のメモリ２ｍには、これら各手段として演算処理装置（ＣＰＵ）２ｐを機能させるプログラムＰｄ１が格納されている。以下、プログラムＰｄ１によって演算処理装置が発揮する各機能について説明する。
【００２１】
＜色情報取得手段Ｐ１＞
色情報取得手段Ｐ１は、検出手段２ｄで検出した色情報を第１色情報として取得する機能を有する。検出手段２ｄが検出し、色情報取得手段Ｐ１が取得する色情報、即ち、第１色情報は、どのような形式のものであっても良い。例えば、周囲光から検出される波長分布や、そのうちの最も強度が高い波長等の色情報であって良い。
【００２２】
＜色情報調整手段Ｐ２＞
色情報調整手段Ｐ２は、色情報取得手段Ｐ１で取得した第１色情報に基づき、表示部２ａに表示されるコンテンツデータ４ａの第２色情報を調整する機能を有する。
【００２３】
コンテンツデータ４ａは、後述するコンテンツサーバ４から配信される情報であり、第２色情報を有する。第２色情報については、どのような形式のものであっても良いが、第１色情報に基づいて第２色情報を調整することから、例えば、コンテンツデータ４ａを分析して得られるカラーヒストグラム等とすることができる。コンテンツデータ４ａのコンテンツ領域中、各色が占める領域の比率等を第２色情報としても良い。更に、その比率が占める色のうち、同系統の色をまとめ、特定の代表色が占める領域の比率等を第２色情報としても良い。
【００２４】
色情報調整手段Ｐ２は、第２色情報を、第１色情報に基づき、調整し、周囲光の映り込み等があっても、コンテンツの視認性が低下しないようにする。例えば、第２色情報を白色及び黒色のみからなるモノクロへと変更する調整を行うことで、コンテンツの視認性の低下を低減することが可能である。この場合、例えば、第２色情報において、白色に近い色情報を有する領域を白色へ、黒色に近い色情報を有する領域を黒色へ調整しても良く、白色に近い色情報を有する領域を黒色へ、黒色に近い色情報を有する領域を白色へ調整しても良い。
【００２５】
また、コンテンツの視認性の低下を抑制するために、第２色情報を第１色情報と補色関係となる色に近付ける調整を行っても良い。例えば、第１色情報において、特定の色の強度が高い場合、その特定の色の補色へと、第２色情報を近付けても良い。このとき、第２色情報における各色の間の関係を保ちつつ、第１色情報と補色関係となる色に近付けることが好ましい。具体的には、例えば、色相環において、第１色情報のうち最も強度が高い色相の位置を基点として、第２色情報の各色相が当該基点から離れるように色相環に沿って順次位置関係を保ちつつ移動した位置の色相へと調整することが好ましい。このように調整することにより、コンテンツデータが写真等の場合であっても、その風合いを保ちつつ視認性を維持することが可能となる。なお、ここでは、「補色関係となる色に近付ける」と説明しているが、この説明は「補色関係となる色に調整する」ことを妨げるものではない。
【００２６】
色情報調整手段Ｐ２は、コンテンツデータ４ａのうちの一部のデータの第２色情報のみを調整するものであっても良い。即ち、コンテンツデータ４ａのうちの特定領域のデータのみを第１色情報に基づき調整しても良い。特定領域とは、例えば、コンテンツデータ４ａが表示される領域のうち、一方の端から一定の面積を連続的に占める領域であっても良いし、コンテンツデータ４ａのうち、文字データや特定の画像等の特定のコンテンツが表示される領域、若しくは、文字データや特定の画像等の特定のコンテンツが表示されていない領域であっても良い。
【００２７】
更に、色情報を調整する上記一部のデータは、周囲光が表示部２ａに映り込む映り込み位置を特定し、その映り込み位置に対応するコンテンツデータ４ａの位置データとしても良い。即ち、色情報調整システムＳ１が、周囲光が表示部２ａに映り込む映り込み位置を特定する位置特定手段を有し、位置特定手段によって特定された映り込み位置に対応するコンテンツデータの位置データを上記一部のデータとして、その部分のみ色情報を調整しても良い。
【００２８】
位置特定手段は、例えば、端末２が備えるカメラ２ｄ等であっても良い。この場合、カメラ２ｄは、端末２の表示部２ａが配設されているのと同じ面に配設されていることが好ましい。カメラ２ｄは、映り込み位置を特定するため、太陽光や照明等の光源の位置、及びユーザの視点を同時に捉えられるよう配設されていることが好ましい。更に、端末２と光源との距離、及び、端末２とユーザの視点との距離を計測できることが好ましい。これらの距離を測る手段としては、例えば、カメラ２ｄとは別に距離センサ等の距離測定装置を備えることや、カメラを２つ備え、それぞれの像の相違点に基づき距離を計測することが挙げられる。また、スマートフォン等のようにユーザが手に持った状態で時系列上２枚以上の画像を解析することにより、ユーザによる手ぶれ等に起因する各画像の相違点に基づき距離を計測することも可能である。更には、端末２が加速度センサを有し、照明等の光源の位置と、当該加速度センサの情報から位置を推定することも可能である。
【００２９】
＜コンテンツサーバ４＞
コンテンツサーバ４は、Ｗｅｂコンテンツ情報（以下、単にコンテンツ情報という。）をユーザに提供するものである。コンテンツ情報としては、例えば、ニュース情報、ブログ情報、インターネットショップ情報等がある。コンテンツサーバ４は、有線又は無線により端末２と情報送受信可能とされ、端末２に向けてのコンテンツ情報を送信可能である。
【００３０】
＜配信装置６＞
配信装置６は、コンテンツサーバ４から配信されるコンテンツデータ４ａを取得し、端末２へと配信するものである。
【００３１】
＜広告主サーバ８＞
広告主サーバ８は、端末２からのリクエストに応じて、端末２に向けて商品等の詳細情報を提供する機能を有する。広告主サーバ８は、内部に広告主サイトを構築するサイトページを有しており、そのサイトページに商品等の詳細情報が掲載されている。
【００３２】
端末２に表示された広告情報がバナー広告等の広告であり、その広告に広告主サーバ８へのリンク情報が埋め込まれていると、端末２で広告をクリック（選択）した場合に、端末２から広告主サーバ８へとリクエスト信号が送信される。そのリクエスト信号に応じて、広告主サーバ８は商品等の詳細情報を掲載したサイトページの情報を端末２に向けて送信する。端末２の表示画面に、広告主サーバ８のサイトページが表示されて、端末２のユーザに商品等の詳細情報が提供される。
【００３３】
＜色調整プロセス＞
色情報調整システムＳ１による色調整プロセスについて、図３のフローチャートを用いて説明する。
【００３４】
端末２の検出手段によって検出された、端末２周囲の周囲光の第１色情報は、色情報取得手段Ｐ１によって取得される（ｓ１）。色情報調整手段Ｐ２は、コンテンツデータ４ａの第２色情報を解析し（ｓ２）、解析した第２色情報を第１色情報に基づき調整する（ｓ３）。調整されたコンテンツデータ４ａは、端末２の表示部２ａへ表示される（ｓ４）。
【００３５】
［変形例１］
上述の色情報調整システムＳ１において、色情報調整手段Ｐ２の機能を端末２が有している場合を説明したが、色情報調整手段Ｐ２は、配信装置６が有していても良い。
【００３６】
配信装置６が色情報調整手段Ｐ２を有している場合、配信装置６は内部に備えるメモリに、色情報調整手段Ｐ２として配信装置６の演算処理装置（ＣＰＵ）を機能させるプログラムが格納されている。
【００３７】
配信装置６が色情報調整手段Ｐ２を有している場合、上述の色情報取得手段Ｐ１により取得された第１色情報は、端末２から配信装置６へと送信される。この送信された第１色情報に基づき、配信装置６の色情報調整手段Ｐ２は、コンテンツデータ４ａの第２色情報を調整する。そして、調整されたコンテンツデータ４ａは端末２へ送信され、端末２により調整されたコンテンツデータ４ａが表示部２ａに表示される。
【００３８】
［変形例２］
上述の実施形態１においては、色情報調整手段Ｐ２により、コンテンツデータ４ａが有する第２色情報を調整する機能について説明してきたが、予め、特定の色情報を有するコンテンツデータを、複数色について作成しておき、検出手段によって検出された第１色情報と補色の関係にある又は補色の関係に近い特定の色情報を有するコンテンツデータを選択し、端末２へと配信し、表示部２ａへ表示させることも可能である。即ち、本発明の効果は、以下のようなコンテンツ選択システムによっても、達成可能である。
【００３９】
＜コンテンツ選択システムＳ２＞
コンテンツ選択システムＳ２は、端末２２周囲の周囲光の色情報を検出する検出手段から色情報を第１色情報として取得する色情報取得手段Ｐ２１と、第２色情報を有し、端末が備える表示部に表示されるコンテンツデータ２４ａを、第１色情報に基づき選択するコンテンツ選択手段Ｐ２２と、を有する。
【００４０】
以下、変形例２に係るコンテンツ選択システムＳ２について、添付図面を用いて説明する。変形例２において、実施形態１と同様の構成については、同様の符号を付し、その説明を省略する。
【００４１】
図４は、変形例２に係るコンテンツ選択システムＳ２の全体構成図である。コンテンツ選択システムＳ２は、端末２２、コンテンツサーバ２４、配信装置６、広告主サーバ８がインターネットＷを介して接続されて構成される。コンテンツ選択システムＳ２は、実施形態１に係る色情報調整システムＳ１における色情報調整手段Ｐ２の代わりに、コンテンツ選択手段Ｐ２２を有するという点で異なる。従って、端末２２及びコンテンツサーバ２４の物理的構成は、実施形態１のものと同様であって良く、端末２２及びコンテンツサーバ２４が有する手段が異なっているものであるため、物理的構成については、ここでは詳細な説明を省略する。配信装置６及び広告主サーバ８についても、構成及び機能が実施形態１で説明したものと略同様であるため、ここでは詳細な説明を省略する。
【００４２】
＜端末２２＞
図５は、端末２２の内部構成の概略を示すブロック図である。端末２２は、内部に演算処理装置２２ｐ及びメモリ２２ｍを有する。
【００４３】
端末２２は、色情報取得手段Ｐ２１と、コンテンツ選択手段Ｐ２２と、を有する。端末２２内部のメモリ２２ｍには、これら各手段として演算処理装置（ＣＰＵ）２２ｐを機能させるプログラムＰｄ２１が格納されている。以下、プログラムＰｄ２１によって演算処理装置が発揮する各機能について説明する。
【００４４】
＜色情報取得手段Ｐ２１＞
色情報取得手段Ｐ２１は、検出手段２２ｄで検出した色情報を第１色情報として取得する機能を有する。検出手段２２ｄが検出し、色情報取得手段Ｐ２１が取得する色情報、即ち、第１色情報は、どのような形式のものであっても良い。例えば、周囲光から検出される波長分布や、そのうちの最も強度が高い波長等の色情報であって良い。
【００４５】
＜コンテンツ選択手段Ｐ２２＞
コンテンツ選択手段Ｐ２２は、第２色情報を有し、端末２２が備える表示部２２ａに表示されるコンテンツデータ２４ａを、第１色情報に基づき選択する機能を有する。
【００４６】
コンテンツデータ２４ａは、特定の第２色情報を有しており、この特定の第２色情報の種類に応じて、複数パターンのコンテンツデータ２４ａが準備されていることが好ましい。例えば、コンテンツデータ２４ａのコンテンツ領域中、各色が占める領域の比率等が異なるものを、それぞれ第２色情報の種類としても良い。更に、その比率が占める色のうち、同系統の色をまとめ、特定の代表色が占める領域の比率等が異なるものを、それぞれ第２色情報の種類としても良い。このような第２色情報の種類に応じた複数パターンのコンテンツデータ２４ａは、例えば、コンテンツサーバ２４の記憶領域に保存しておくことができる。もちろん、コンテンツデータ２４ａは、配信装置６の記憶領域に保存しておくこともできる。
【００４７】
コンテンツ選択手段Ｐ２２は、コンテンツデータ２４ａの複数パターンの中から、色情報取得手段Ｐ２１により取得した第１色情報と補色関係となる色に近い第２色情報を有するコンテンツデータ２４ａを選択することが好ましい。このようにコンテンツデータ２４ａを選択することにより、映り込みが発生した場合のコンテンツの視認性の低下を抑制することが可能となる。例えば、第１色情報において、特定の色の強度が高い場合、その特定の色の補色に近い第２色情報を有するコンテンツデータ２４ａを選択することができる。
【００４８】
具体的には、特定のコンテンツデータ２４ａの第２色情報として、コンテンツ領域中、最も広い領域を占める色をその特定のコンテンツデータ２４ａの代表色とし、この代表色を第２色情報とする。このような代表色と、コンテンツデータ２４ａとをデータベース化して、コンテンツ色情報データベースを生成する。そして、色情報取得手段Ｐ２１により取得した第１色情報と補色関係となる色に近い代表色に応じて、コンテンツデータ２４ａの順位付けを行う。このように順位付けされたコンテンツデータ２４ａのうち順位の高いものを選択することにより、映り込みが発生した場合のコンテンツの視認性の低下を抑制することが可能となる。
【００４９】
図６は、コンテンツ色情報データベースのデータ構造の概略を示す図である。コンテンツ色情報データベースは、コンテンツデータ２４ａ（コンテンツデータ２４ａ１、２４ａ２、２４ａ３）と、代表色Ｃ（代表色Ｃ１、Ｃ２、Ｃ３）とが、それぞれ相互に関連づけられて構築されている。
【００５０】
＜コンテンツサーバ２４＞
コンテンツサーバ２４は、Ｗｅｂコンテンツ情報（以下、単にコンテンツ情報という。）をユーザに提供するものである。コンテンツ情報としては、例えば、ニュース情報、ブログ情報、インターネットショップ情報等がある。コンテンツサーバ２４は、有線又は無線により端末２２と情報送受信可能とされ、端末２２に向けてのコンテンツ情報を送信可能である。
【００５１】
コンテンツサーバ２４は、上述のように、コンテンツデータ２４ａ及び代表色Ｃを、コンテンツサーバ２４内部の記憶領域に保存可能である。そして、コンテンツ選択手段Ｐ２２において選択するコンテンツデータ２４ａを、配信装置６、端末２２へと配信することが可能である。
【００５２】
［変形例３］
上述の変形例２のコンテンツ選択システムＳ２において、コンテンツ選択手段Ｐ２２の機能を端末２２が有している場合を説明したが、コンテンツ選択手段Ｐ２２は、配信装置６が有していても良い。
【００５３】
配信装置６がコンテンツ選択手段Ｐ２２を有している場合、配信装置６は内部に備えるメモリに、コンテンツ選択手段Ｐ２２として配信装置６の演算処理装置（ＣＰＵ）を機能させるプログラムが格納されている。
【００５４】
配信装置６がコンテンツ選択手段Ｐ２２を有している場合、上述の色情報取得手段Ｐ２１により取得された第１色情報は、端末２２から配信装置６へと送信される。この送信された第１色情報に基づき、配信装置６のコンテンツ選択手段Ｐ２２は、特定の第２色情報を有するコンテンツデータ２４ａを選択する。そして、選択されたコンテンツデータ２４ａは端末２２へ送信され、表示部２２ａに表示される。
【００５５】
以上、本発明の実施の形態を説明したが、本発明はこれに限定されることなく、その要旨の範囲内で様々な変形や変更が可能である。
【００５６】
本発明は、以下の趣旨をも含む。
【００５７】
色情報調整システムは、端末周囲の周囲光の色情報を検出する検出手段から色情報を第１色情報として取得する色情報取得手段と、第２色情報を有して端末が備える表示部に表示されるコンテンツデータの第２色情報を、第１色情報に基づき調整する色情報調整手段と、を有する。
【００５８】
前記色情報調整手段は、前記第２色情報をモノクロに変更する調整を行うものであっても良い。
【００５９】
前記色情報調整手段は、前記第２色情報を前記第１色情報と補色関係となる色に近付ける調整を行うものであっても良い。
【００６０】
前記色情報調整手段は、前記コンテンツデータのうちの一部のデータの前記第２色情報のみを調整するものであっても良い。
【００６１】
色情報調整システムは、前記周囲光が前記表示部に映り込む映り込み位置を特定する位置特定手段を有し、前記位置特定手段によって特定された映り込み位置に対応する前記コンテンツデータの位置データを、前記一部のデータとするものであっても良い。
【００６２】
色情報調整方法は、色情報調整システムに、端末周囲の周囲光の色情報を検出する検出手段から前記色情報を第１色情報として取得する色情報取得ステップと、第２色情報を有して前記端末が備える表示部に表示されるコンテンツデータの前記第２色情報を、前記第１色情報に基づき調整する色情報調整ステップと、を実行させる。
【００６３】
コンテンツ選択システムは、端末周囲の周囲光の色情報を検出する検出手段から色情報を第１色情報として取得する色情報取得手段と、第２色情報を有し、端末が備える表示部に表示されるコンテンツデータを、第１色情報に基づき選択するコンテンツ選択手段と、を有する。
【００６４】
コンテンツ選択方法は、コンテンツ選択システムに、端末周囲の周囲光の色情報を検出する検出手段から色情報を第１色情報として取得する色情報取得ステップと、第２色情報を有し、端末が備える表示部に表示されるコンテンツデータを、第１色情報に基づき選択するコンテンツ選択ステップと、を実行させる。
【符号の説明】
【００６５】
代表色：Ｃ，Ｃ１，Ｃ２，Ｃ３
広告情報：Ｈ
色情報取得手段：Ｐ１
色情報調整手段：Ｐ２
プログラム：Ｐｄ１，Ｐｄ２１
色情報調整システム：Ｓ１
コンテンツ選択システム：Ｓ２
インターネット：Ｗ
端末：２，２２
表示部：２ａ，２２ａ
スピーカ：２ｂ
マイク：２ｃ
カメラ（検出手段）：２ｄ，２２ｄ
広告表示領域：２ｅ
演算処理装置（ＣＰＵ）：２ｐ，２２ｐ
メモリ：２ｍ，２２ｍ
コンテンツサーバ：４，２４
コンテンツデータ：４ａ，２４ａ，２４ａ１，２４ａ２，２４ａ３
配信装置：６
広告主サーバ：８
【図１】
0005864478.tif 000002
【図２Ａ】
0005864478.tif 000003
【図２Ｂ】
0005864478.tif 000004
【図３】
0005864478.tif 000005
【図４】
0005864478.tif 000006
【図５】
0005864478.tif 000007
【図６】
0005864478.tif 000008